(57)【要約】開始位置から打撃されたボールの水平方位角方向を表示する方向表示手段を含み、方向表示手段が、ボールが通過しようとする垂直面を定める手段と、ボールがとる経路と垂直面との交点の水平位置を決定する手段とを備えた、室内および屋外の両方で使用できるゴルフ練習装置が記載されている。本発明は、ゴルファがこの装置を使用して自分のゴルフスウィングを改善できるように練習する方法にも関する。
2004505736.tif 000002
【特許請求の範囲】
【請求項１】
開始位置から打撃されたボールの水平方位角方向（ａｚｉｍｕｔｈ ｄｉｒｅｃｔｉｏｎ）を表示する方向表示手段であって、
ボールが通過しようとする垂直面を定める手段と、
該ボールがとる経路と前記垂直面との交点の水平位置を決定する手段とを備えた方向表示手段。
【請求項２】
ボールが通過しようとする垂直面を定める前記手段は、ネットを有する請求項１記載の方向表示手段。
【請求項３】
ボールが通過しようとする垂直面を定める前記手段は、
ボールが通過することができる光線を発生する少なくとも１つの光源と、
前記ゴルフボールの位置を検出する一連の光検出器とを有する請求項１記載の方向表示手段。
【請求項４】
前記ネットは、垂直に延びた開放側部を有する、ボールを保持するポケットを下端部に設けた少なくとも１つの区画室を備えた請求項２記載の方向表示手段。
【請求項５】
複数の隣接区画室を備えた請求項４記載の方向表示手段。
【請求項６】
垂直に延びた細長い開口の横に形成された少なくとも１つの区画室を有する請求項５記載の方向表示手段。
【請求項７】
２つの区画室と、その間に形成された開口とを有する請求項６記載の方向表示手段。
【請求項８】
天井を有する室内で使用できる屋内練習装置であって、
スウィングできるようにする長さのクラブと、
ボールを開始位置に支持して、前記クラブを備えたユーザが該ボールを打撃できるようにするティー装置と、
開始位置から打撃されたボールの水平方位角方向を表示する方向表示手段とを有しており、
該方向表示手段が、ボールが通過しようとする垂直面を定める手段と、該ボールがとる経路と前記垂直面との交点の水平位置を決定する手段とを備えている屋内練習装置。
【請求項９】
ボールが通過しようとする垂直面を定める前記手段は、ネットを有する請求項８記載の屋内練習装置。
【請求項１０】
ボールが通過しようとする垂直面を定める前記手段は、
ボールが通過することができる光線を発生する少なくとも１つの光源と、
前記ゴルフボールの位置を検出する一連の光検出器とを有する請求項８記載の屋内練習装置。
【請求項１１】
前記ネットは、開放側部を有する、ボールを保持するポケットを下端部に設けた少なくとも１つの垂直に延びた区画室を備えた請求項９記載の屋内練習装置。
【請求項１２】
複数の隣接区画室を備えた請求項１１記載の屋内練習装置。
【請求項１３】
長さを短くしたクラブに高さを合わせて、天井を有する室内で該クラブをスウィングできるようにしており、請求項８に記載された屋内練習装置に使用するのに適したボール支持装置であって、
実際のプレー面を模倣して人工芝カバーを付けて、ボールを打撃することができ、少なくとも１つの支持脚部によって支持されたプラットフォームと、
該プラットフォームをいずれの向きにも傾斜できるように、前記プラットフォームの傾斜角を変更する手段とを備えており、
前記プラットフォームは、スウィング中に前記プラットフォーム上を通過する時に前記クラブがとる経路を表示する少なくとも１つの表示手段を備えている装置。
【請求項１４】
ゴルフボールを開始位置から打撃するステップと、
前記開始位置からボールが進む方位角方向を決定するステップと、
前記ゴルフボールが進んだ決定方位角方向に基づいて、前記ゴルファに指示を与えるステップとを含むゴルフ練習方法。
【請求項１５】
前記開始位置は、傾斜可能な表面上に位置し、ゴルファへの指示は、表面を規定方向に規定量だけ傾斜させる指示を有する請求項１４記載の方法。
【請求項１６】
請求項１３に記載のボール支持手段と、
請求項１ないし７のいずれかに記載の方向表示手段とを備えたゴルフ練習装置。
【請求項１７】
添付図面の図１〜図４に示すか、それらを参照しながら以下に説明する屋内練習装置。
【請求項１８】
実質的に、添付図面の図１、図２、図４、図６Ａ、図６Ｂまたは図７に示すか、それらを参照しながら以下に説明する方向表示手段。
【請求項１９】
実質的に、添付図面の図１、図２、図３、図４、図５または図７に示すか、それらを参照しながら以下に説明するボール支持装置。
【請求項２０】
実質的に、添付図面の図１、図２、図３、図４、図６Ａ、図６Ｂまたは図７に示すか、それらを参照しながら以下に説明するゴルフ練習装置。
【請求項２１】
実質的に、上記のゴルフ練習方法。
【発明の詳細な説明】
【０００１】
本発明は、ゴルフ練習装置および方法、排他的ではないが特に、ゴルフ練習ショットがフックまたはスライスしたかを表示する手段に関する。
【０００２】
米国特許第４４３２５５２号から、水平面に対して異なった角度で隆起テーブルを支持するために、高さが調節可能である脚部を提供することが周知である。この調節は、異なった地形（たとえば、ボールのダウンヒルライ、ボールのアップヒルライ、および左または右方向への側斜面）をシミュレートできるようにするためである。
【０００３】
また、米国特許第４４３２５５２号（Ｓａｖｅｒｉｎｏ）から、人工芝表面を有し、それぞれが高さ調節可能な複数の脚部で支持された隆起テーブルまたはプラットフォームと、テーブルと組み合わせて使用する短尺のゴルフクラブとからなるゴルフ練習装置を提供することが周知である。この短尺クラブによって、普通の部屋の内部でフルスウィングの練習を行うことができ、また、隆起テーブルによって、ゴルファは正しいスタンスを維持しながら、短尺クラブでボールを打撃することができる。しかし、そのような装置は、ゴルファがフルゴルフスウィングを行うことができるようにするが、装置には、打撃時のゴルフボールの水平方位角方向を決定する手段が設けられていないため、スウィングが適切に行われているかどうかに関する表示を行わない。
【０００４】
本発明の目的は、ゴルファがゴルフボールの水平方位角方向を決定でき、従って自分のスウィングを矯正して、ゴルファのショットの大部分からフックショットまたはスライスショットをなくすことができ、したがって、まっすぐに打撃されるショットの数が増えるようにゴルファが練習できるようにするゴルフ練習装置を提供することである。
【０００５】
本発明の目的は、ティー装置のプレー面の角度を調節することで、ボールのインパクト時にゴルファの背筋が水平面に対してなす角度を変更することによって、ゴルファが自分のスウィングを矯正できるようにするゴルフ練習装置および方法を提供することである。
【０００６】
本発明の１つの態様によれば、
ゴルフボールの開始位置を定める調節可能なプレー面と、
開始位置から打撃されたボールの水平方位角方向を表示する方向表示手段とを有しており、方向表示手段が、
ボールが通過しようとする垂直面を定める手段と、
上記ボールがとる経路と上記垂直面との交点の水平位置を決定する手段とを備えているゴルフ練習装置が提供されている。
【０００７】
第２態様は、打撃されたボールの方位角方向を決定し、その決定方向に基づいて、ゴルファのスウィングの要素を矯正するようにしたゴルフスウィング練習方法を提供している。それらの要素は、ゴルファのスタンスまたはグリップか、打撃前のボールに対する姿勢に関するであろう。
【０００８】
ゴルファがそのようなゴルフ練習装置および方法を使用する利点は、打撃後のゴルフボールの初期水平方向を決定することができ、それによって自分のスウィングを矯正できることである。
【０００９】
次に、添付の図面を参照しながら、本発明の実施形態を例示として説明する。
【００１０】
図１は、ゴルファのゴルフスウィングを改善するための、第１実施形態の装置を示す。本装置は、室内で使用できるように設計されており、多数の部材、すなわち、ティー装置１と、短尺ゴルフクラブ１１と、練習用ゴルフボール１３（標準ゴルフボールより軽い）と、キャッチネット１７とを有する。隆起ティー装置１は、支持脚部３によって支持された平坦なティー面５を備え、支持脚部３の端部には、隆起ティー装置１の傾斜角を調節する手段９が設けられている（これについては図４に関連して後述する）。隆起ティー装置１のティー面５には好ましくは、ゴルフコース上のプレー面を模倣した人工芝ストリップ７が設けられている。ゴルフクラブ１１は、短尺のシャフトを有する標準ゴルフクラブヘッドである。短尺ゴルフクラブ１１であると、ゴルファ１５が天井をたたく心配をしないでフルスウィングをして練習できるため、短尺ゴルフクラブ１１および隆起ティー装置１を設けることによって、練習装置を屋内で使用できるようになる。短尺ゴルフクラブ１１を標準より軽いゴルフボール１３と組み合わせることは、ショット時のボールのエネルギを、屋外で打ったゴルフショットと比べて減少させるのにも役立つ。これは、ゴルフクラブ１１がゴルフボール１３に与える初期衝撃が小さくなるからであり、また、ゴルフボール１３が軽いため、ゴルフボール１３の運動量が、標準ゴルフボールより小さい。
【００１１】
キャッチネット１７は、多数の垂直に延びた隣接開口１９を備え、ゴルファ１５がショットを行った時、その開口の１つをボール１３が通り抜けるであろう。これらの開口１９の各々の背後の空間が、開口１９を通り抜けた後のボール１３の進行を止める保持手段２０によって包囲されている。開口１９のそれぞれの下端部に、それぞれの回収ポケット２１が設けられている。したがって、ショットを行った時、ゴルフボールは開口１９の１つを通り抜けて、ネット材料で形成された対応の保持手段２０によって保持され、この材料によってボールが止められた後、ボールは開口１９の下端部に設けられたポケット２１内へ落下する。
【００１２】
キャッチネット１７は、支持体２３から懸架されており、支持体は、本実施形態では、支柱２３ａ、１対の懸架アーム２３ｂおよびベース２３ｃを有するスタンドである。
【００１３】
使用するには、ティー装置１をキャッチネットから約１．５メートル離して置き、ボール１３をキャッチネットに向けて打撃できるように、ティー面５を位置合わせする。ゴルファの目的は、キャッチネット１７の開口１９の特定の１つを通過するようにボールを打つことである。好ましくは、一連の隣接開口の中央開口１９を目標として選択する。
【００１４】
ゴルファ１５は、ショットを打った後、ボール１３が入っているポケット２１を確認することによって、ボールの打撃が左方向か、右方向か、またはまっすぐかを決定することができる。狙った開口１９のポケット２１にボールが入っていれば、ショットがまっすぐであった。別の開口１９のポケット２１にボールが入っていれば、狙った開口１９に対するボールが入っているポケット２１の位置によって、ショットの方向が左方向または右方向であることを決定することができる。狙った点からのずれは、ゴルフボール１３を打撃した時のゴルフクラブヘッドの角度（すなわち、ゴルファに垂直な方向からのクラブフェースのずれ）を表し、したがって、ゴルファ１５が自分のスウィング動作の欠点を矯正して、以後のショットをまっすぐ打てるようにすることができる。したがって、本装置を使用することによって、ゴルファ１５は、自分のゴルフスウィングが改善されるように練習することができる。
【００１５】
図２に示されたゴルフ練習装置の平面図は、プレー面５上に設けられた部材と共に、打撃時にゴルフボール１３が進む可能性がある方向もさらに詳細に示している（これらの水平ベクトルは、左方向および右方向に打ったショットを点線２４および２５で、まっすぐ打ったショットを実線２６で示している）。人工芝ストリップ７に、ショットを打つ時にボールを置くことができる点を表すマーク２７が付けられている。ティー面５には、ゴルファが自分のエントリスウィング（ｈｉｓ ｅｎｔｒｙ ｓｗｉｎｇ）を評価できるようにするインジケータ２８も設けられている（これらについては図３に関連してさらに詳細に説明する）。プレー面５には、ショットを打つ前に行うべき一定のステップをゴルファ１５に思い出させる注意書き２９（たとえば、ショットの前にゴルファに自分のグリップ、目標、スタンスおよび姿勢が適切であるかをチェックすることを思い出させる注意書き）も設けられている。
【００１６】
図３は、隆起ティー装置１を詳細に示す。エントリスウィングの線を表すインジケータ２８が、プレー面５内のリセスに設けられており、直立できるように一端部でヒンジ連結（図示せず）されている。ゴルファがスウィングした時、そのスウィングが適切であれば、インジケータ２８は直立したままであるが、反対に、ゴルファのエントリスウィングが適切でなければ、クラブがインジケータ２８を叩いて、それを下方位置へ移動させるであろう。この特定の実施形態では、２つのインジケータ２８が、プレー面５の中心線に対して対称配置で設けられて、隆起ティー１を左利きおよび右利きの両ゴルファが使用できるようにしている。
【００１７】
この図面では、隆起ティーの高さ／プレー角度を変更できるようにするアジャスタ９が、隆起ティー装置１の脚部３に回転可能に固定されていることがわかるであろう。これらのアジャスタ９は偏心状に取り付けられているため、さまざまな異なった高さ／傾斜角度を得ることができる。これらのアジャスタ９は、隆起ティー装置１に設けられて、装置の長手方向と共に側方の傾斜も変更して、ゴルファ１５が自分のゴルフスウィングの別の点を練習できるようにしている。変更形実施形態では、アジャスタを隆起ティーの一端部だけに設けて、長手方向の角度調整だけができるようにしてもよい。偏心形アジャスタの変更例として、ティー装置に調節式伸縮脚部を設けてもよい。
【００１８】
プレー面が水平である時、ゴルフクラブ１１およびゴルフボール１３間のインパクト時のゴルファの体位が、（図４に示すように）ショットの方向から離れる向きに傾いている場合、フックが生じるであろう。ゴルファがこのように傾く癖を直すように練習するには、アジャスタ９を使用してティー面５を傾斜させる。
【００１９】
図５（Ａ）は、短尺クラブ１１およびティー装置３を使用しているゴルファを概略的に示す。この図面からわかるように、ゴルフクラブ１１およびゴルフボール１３間のインパクト時に、ゴルファはショットの方向から離れる向きに傾いている（図４と同じ）。スウィングでのこの欠点の結果として、ゴルファが打つショットの大部分がフックショットになるであろう。図５（Ｂ）は、図５（Ａ）のゴルファのスウィングを矯正する方法を示す。ティー装置３のアジャスタ（図示せず）を使用して、スウィングの方向に下り勾配を付けるようにプレー面５を傾斜させる。これによって、ゴルファはスタンスを変更して、ゴルフクラブ１１およびゴルフボール１３間のインパクト時に、背筋をプレー面５に垂直にすることを強いられ、したがって、この時点で直立姿勢をとる。この直立姿勢を採り入れてショットを練習することによって、ゴルファは直立姿勢でショットを打つことを身につけるようになるであろう。したがって、ティー装置３を取り除いても、ゴルファは、図５（Ｃ）に示すように、インパクトの瞬間に正しい姿勢をとり続ける。図５（Ｄ）は、ゴルフクラブ１１およびゴルフボール１３間のインパクト時に、ショットと同じ方向に習慣的に傾き、このため、ショットの大部分がスライスになるゴルファを概略的に示す。図５（Ｅ）からわかるように、ティー装置３上のアジャスタ（図示せず）を、この場合にはスウィングの方向に上り勾配を付けるようにプレー面を傾斜させるように調節することができる。ゴルファは、背筋をプレー面５に垂直にすることによって、インパクトの瞬間に直立姿勢をとるようにスウィングを調節することを強いられる。このように傾斜したティー装置３でショットを練習することによって、前述したように、ゴルファのスウィングを矯正することができ、ティー装置３を取り除いても、ゴルファは、図５（Ｃ）に示すように、ゴルフクラブ１１およびゴルフボール１３間のインパクト時に正しい姿勢をとる。ゴルファがショットを打つ時にスウィングを変更しなければならないようにプレー面５を傾斜させるこれらの両方法によって、ゴルファは、左方向または右方向に打つショットの数が減少し、まっすぐなショットの数が増加するように、スウィングを練習することができる。
【００２０】
図６Ａは、別の実施形態のキャッチネット１７を示す。位置検出手段１７は、中央開口１９の保持手段２０およびポケット２１が取り除かれている点を除いて、先行実施形態のものとほぼ同一である。この装置は、たとえば、ゴルフ練習場（ｇｏｌｆ ｄｒｉｖｉｎｇ ｒａｎｇｅ）で、フルサイズのゴルフクラブおよび標準重量のボールと組み合わせて使用することができる。ゴルファは、中央開口１９Ａを通り抜けるようにショットを狙う。そして、左方向または右方向に打ったショットは、保持手段２０によって捕らえられ、まっすぐなショットは開口１９Ａを通り抜けることができる。
【００２１】
図６Ｂは、さらなる実施形態の非対称形キャッチネット１７を示す。キャッチネット１７は、キャッチネット１７の垂直な中心線の片側の開口１９およびポケット２１が取り除かれて、代わりに平らなネットが設けられている点を除いて、第１実施形態のものとほぼ同一である。図示の例のこれは、ショットの大部分が右方向に進むゴルファのスウィングを矯正するために使用されるであろう。開口１９をボール検出手段１７の中心線の左側に配置することによって、ゴルファは左方向にショットを打つことを強いられる。この実施形態のキャッチネットを使用した練習によって、ゴルファは自分のスウィングを矯正することができる。第１実施形態と異なる別の特徴は、開口１９の、ポケット２１と反対側の端部にもポケット２２が設けられていることである。このため、キャッチネット１７をその平面上で点Ｘを中心にして１８０°回転させることによって、開口１９を中心線の右側に置くことができる。したがって、ショットの大部分が左方向に進むスウィングを矯正するための練習を行うことができる。変更例として、スロットの一端部だけにポケットを設けて、キャッチネットを軸ＡＢを中心にして１８０°回転させ、保持手段２０を「裏返す」ことによって、反対方向の非対称形キャッチネットにすることができる。
【００２２】
上記利点は、第１実施形態のキャッチネット１７を使用することによっても達成することができる。これは、ネット１７の中央開口１９が隆起ティー装置１の中心線に一致しないようにして、ネット１７を配置するだけで達成することができ、したがって、ネット１７は、隆起ティー装置１の中心線の左または右のいずれかにずれる。
【００２３】
図７は、さらなる実施形態のゴルフ練習装置を示し、先行実施形態と同一の機構には同様な参照番号を使用する。この実施形態では、簡単なネット４３を使用してゴルフボール１３を止める。ゴルフボールが打撃後に進む方向は、ティー装置５の一端部に、ボールの飛行予定線に垂直に配置された一直線上のＬＥＤ３５によって決定される。各ＬＥＤは光線を発する。ゴルフボール１３がその光を通過すると、それは（ボールの反射面によって）光線を、それぞれＬＥＤ３５の１つに対応して一直線に並んだフォトダイオード３７に向けて反射する。人工芝ストリップ７上にもフォトダイオード３３が設けられており、ショットを打つ前にボール１３を置くのは、このフォトダイオード３３上である。ゴルフボール１３を打撃すると、フォトダイオード３３が露出し、これがＰＣ４１などの制御ユニットに、各フォトダイオード３７の出力の測定を開始するように合図する。各フォトダイオード３７の出力電圧Ｖｎ（ｎ＝ダイオード番号）を離散的時間間隔Ｔ１〜Ｔｎで測定する。次に、ＰＣ４１が、各ダイオードについてＶｎＴｎ−ＶｎＴｎ−１を計算することによって、各ダイオードでの経時的ダイオード出力プロフィールを調べる。ボールが打撃された時、それは複数のＬＥＤ３５のうちの１つの上方を通過し、それによって光線を対応のフォトダイオード３７に反射する。説明のため、ボールが通過するダイオードを参照番号Ｍで表すとする。このダイオードでは、ＶｍＴｎ−ＶｍＴｎ−１がゼロより大きくなるであろう。ダイオードｎが、ボールが通過したダイオードでない場合、コンピュータは次のダイオードｎ＋１の出力を調べて、Ｖｎ＋１Ｔｎ−Ｖｎ＋１Ｔｎ−１を計算して、その信号がゼロより大きいか否かを調べる。ＰＣ４１は、ＶｍＴｎ−ＶｍＴｎ−１がゼロより大きくなるダイオードｍが見つかるまで、この処理を継続する。したがって、開始点が既知であり、ボールがダイオード線と交わる点がわかるので、ボールの方向が決定される。それから、コンピュータは、質的または量的のいずれかの表示を行って、ゴルファに「左」、「右」または「まっすぐ」のいずれかを知らせ、また、任意であるが、まっすぐなショットからのずれの度合いを表示することができる。表示は、任意であるが、ティー装置５のプレー面５の角度を変更するようにゴルファに指示を与えてもよい。
【００２４】
さらなる態様では、本発明の調節式ティー装置は、ゴルファがゴルフクラブを選択するために正しいライ角度を決定するのを助けるためにも使用することができる。
【００２５】
ゴルフクラブセットの「ライ角度」は、クラブシャフトがクラブヘッドのソールの平面に対してなす鋭角、すなわち、ゴルファがボールにアドレスしている時のクラブシャフトおよび地面間の角度である。そのような位置では、クラブのソールがクラブのトウ端部（すなわち、グリップから遠い端部）で地面から１〜２ｍｍ上方にあるべきである。
【００２６】
標準シャフト長さのクラブをさまざまな身長のゴルファが使用できるように、ゴルフクラブは多くの異なったライ角度で製造されている。従来より、クラブは、「標準」ライ角度と、「標準」角度より１〜２度増減させたライ角度とで製造されている。「標準」角度は、約１２０〜１２５度である。背の低いゴルファの場合、ボールにアドレスする時、ゴルファがしっかり握るためにグリップが地面から離れすぎないようにするため、小さいライ角度のクラブが必要であろう。背の高いゴルファの場合、クラブヘッドをボールに対して正しい位置に置いた時、シャフトのグリップが地面から上方に高くなるように、大きいライ角度のクラブが必要であろう。
【００２７】
個々のゴルファに正しいライ角度を決定するために、既知のシャフト長さおよびライ角度を有する短尺クラブをゴルファに与えて、所定高さのティー面上に載置されたボールにアドレスするようにゴルファに求める。クラブヘッドのソールが正しい間隔を置いてティー面に平行になるかを調べることによって、クラブのライ角度が適切であるかどうかを確認することができる。
【００２８】
クラブヘッドのヒール（シャフト連結部すなわちホーゼルに最も近いクラブヘッド部分）が、クラブヘッドのトウ（シャフト連結部すなわちホーゼルから最も遠いクラブヘッド部分）より大きくティー面から離れている場合、ティー面を高くすることによって、クラブのソールがティー面に平行になるように、クラブの角度を変えることができる。反対に、クラブヘッドのヒールがクラブヘッドのトウよりティー面に近い場合、ティー面を低くすることによって、クラブのソールをティー面に平行にすることができる。
【００２９】
既知長さの短尺ゴルフクラブを設けることによって、ボールにアドレスするためにゴルファが短尺ゴルフクラブを使用して、それをティー面に対して正しい位置に置いた時、地面からのティー面の高さが、そのゴルファの場合のフルサイズクラブの正しいライ角度を表示することができる。
【００３０】
この態様によれば、あるゴルファ用のゴルフクラブの正しいライ角度を決定する方法は、そのゴルファに既知長さの短尺ゴルフクラブを与えることと、ティー面に載せたボールにアドレスすることと、短尺ゴルフクラブのヘッドがティー面に対して適切位置にくるまで、ティー面の高さを調節することと、地面からのティー面の高さを記録することとを含む。次に、地面からのティー面の高さを正しいライ角度と関係付ける表を参照することによって、そのゴルファ用のフルサイズゴルフクラブの正しいライ角度を決定することができる。あるいは、ティー面の高さ調節機構に、地面からのティー面の高さか、直接的にフルサイズクラブに必要なライ角度に関する目盛り表示を付けてもよい。
【００３１】
ゴルファのゴルフクラブの正しいライ角度を決定する方法に使用される装置は、所定長さの短尺ゴルフクラブと、高さ調節可能なティー面と、地面からのティー面の高さを決定する手段と、地面からのティー面の高さをゴルファ用のフルサイズクラブ（既知の長いシャフト長さのクラブ）の正しいライ角度と関係付ける手段とを備えている。
【００３２】
ゴルファのゴルフクラブの正しいライ角度を決定する方法に使用される装置は、所定長さの短尺ゴルフクラブと、高さ調節可能なティー面と、地面からのティー面の高さを決定する手段と、地面からのティー面の高さをゴルファ用のフルサイズクラブ（既知の長いシャフト長さのクラブ）の正しいライ角度と関係付ける手段とを備えている。
【００３３】
この態様のさらなる改良形では、ゴルファが短尺ゴルフクラブでボールにアドレスする時のティー面の高さを利用して、標準長さのゴルフクラブシャフトで使用するのに必要なライ角度を決定できるだけでなく、必要なライ角度と、ゴルファが自分のクラブに使用したいシャフトの長さとの間の関連付けも行うことができる。ゴルファが既知長さの短尺クラブを使用してボールに適切にアドレスする時のティー面の高さを測定することによって、地面からのゴルファの手の高さが表示される。そのため、ゴルファは自分が使用したいシャフト長さを選択することができ、簡単な幾何学的計算によって正しいライ角度が得られる。あるいは、ゴルファが必要なライ角度を選択し、ボールにアドレスした時の地面からのゴルファの手の高さに基づいて、そのゴルファ用の正しいシャフト長さを計算することができる。
【００３４】
好適な構造では、地面からのティー面の高さの各値を複数のシャフト長さおよび同数のライ角度に対応させ、各ライ角度を特定のシャフト長さに対応させる表をまとめることができる。ティー面の正しい高さが確認された時、ゴルファはその表を調べるだけで、自分の要件に合うようにシャフト長さおよびライ角度の所望の組み合わせを決定することができる。
【図面の簡単な説明】
【図１】ゴルフ練習装置の部材を示す概略図である。
【図２】ゴルフボールがティーおよびボール位置検出手段間を進む時の可能な経路を示す平面図である。
【図３】ティー装置を斜視図で示す概略図である。
【図４】異なった傾斜角を付けたティー装置の概略図である。
【図５】ゴルファのスウィングを矯正するためにティー装置を使用する方法を示す概略図である。
【図６Ａ】さらなる実施形態のキャッチネットを示す概略図である。
【図６Ｂ】さらに別の実施形態のキャッチネットを示す概略図である。
【図７】さらなる実施形態のゴルフ練習装置を示す概略図である。
【図１】
2004505736.tif 000003
【図２】
2004505736.tif 000004
【図３】
2004505736.tif 000005
【図４】
2004505736.tif 000006
【図５】
2004505736.tif 000007
【図６Ａ】
2004505736.tif 000008
【図６Ｂ】
2004505736.tif 000009
【図７】
2004505736.tif 000010
【国際公開パンフレット】
2004505736.tif 000011
2004505736.tif 000012
2004505736.tif 000013
2004505736.tif 000014
2004505736.tif 000015
2004505736.tif 000016
2004505736.tif 000017
2004505736.tif 000018
2004505736.tif 000019
2004505736.tif 000020
2004505736.tif 000021
2004505736.tif 000022
2004505736.tif 000023
2004505736.tif 000024
2004505736.tif 000025
2004505736.tif 000026
2004505736.tif 000027
2004505736.tif 000028
2004505736.tif 000029
2004505736.tif 000030
2004505736.tif 000031
2004505736.tif 000032
2004505736.tif 000033
2004505736.tif 000034
2004505736.tif 000035
2004505736.tif 000036
2004505736.tif 000037
2004505736.tif 000038
2004505736.tif 000039
2004505736.tif 000040
2004505736.tif 000041
2004505736.tif 000042
2004505736.tif 000043
2004505736.tif 000044
【国際公開パンフレット（コレクトバージョン）】
2004505736.tif 000045
2004505736.tif 000046
【国際調査報告】
2004505736.tif 000047
2004505736.tif 000048
2004505736.tif 000049